(57)【特許請求の範囲】
【請求項１】
時刻情報を提供する時計回路と、
ユーザからの操作入力を受け付ける操作入力受付手段と、
前記操作入力受付手段を通じた所定の操作に応じてタイマー設定を行なうためのものであって、時刻設定の項目と、オーディオ信号の再生出力についての設定可能な調整項目とを含む設定画面を、外部に設けられた表示部に表示させる表示信号を、前記表示部に出力する設定画面出力手段と、
前記操作入力受付手段を通じて、ユーザから前記タイマー設定の設定入力を受け付けたときに、前記表示部に、前記設定画面に前記設定入力を反映させるようにする表示信号を供給する手段と、
前記設定画面において前記操作入力受付手段を通じて設定された時刻の情報および前記オーディオ信号の再生出力についての設定可能な調整項目について設定された調整用情報を保持する設定情報保持手段と、
前記時計回路からの時刻情報により、前記設定された時刻になったか否かを監視する監視手段と、
前記監視手段で、前記設定された時刻になったことを検知したときに、前記設定情報保持手段に前記調整用情報が保持されている否かを判断し、前記設定情報保持手段に前記調整用情報が保持されていると判断したときに、前記保持されている前記調整用情報を被制御機器に供給する制御手段と、
を備えることを特徴とするタイマー装置。
【請求項２】
時刻情報を提供する時計回路と、
ユーザからの操作入力を受け付ける操作入力受付手段と、
前記操作入力受付手段を通じた所定の操作に応じてタイマー設定を行なうためのものであって、時刻設定の項目と、再生画像の画質についての設定可能な調整項目とを含む設定画面を、外部に設けられた表示部に表示させる表示信号を、前記表示部に出力する設定画面出力手段と、
前記操作入力受付手段を通じて、ユーザから前記タイマー設定の設定入力を受け付けたときに、前記表示部に、前記設定画面に前記設定入力を反映させるようにする表示信号を供給する手段と、
前記設定画面において前記操作入力受付手段を通じて設定された時刻の情報および前記再生画像の画質についての設定可能な調整項目について設定された調整用情報を保持する設定情報保持手段と、
前記時計回路からの時刻情報により、前記設定された時刻になったか否かを監視する監視手段と、
前記監視手段で、前記設定された時刻になったことを検知したときに、前記設定情報保持手段に前記調整用情報が保持されている否か判断し、前記設定情報保持手段に前記調整用情報が保持されていると判断したときに、前記保持されている前記調整用情報を被制御機器に供給する制御手段と、
を備えることを特徴とするタイマー装置。
【請求項３】
タイマー設定を行うための設定画面を表示する表示部と、
音声再生出力を調整する音声再生出力調整手段と、
ユーザからの操作入力を受け付ける操作入力受付手段と、
前記操作入力受付手段を通じた所定の操作に応じてタイマー設定を行なうためのものであって、時刻設定の項目と、オーディオ信号の再生出力についての設定可能な調整項目とを含む設定画面を、外部に設けられた表示部に表示させる表示信号を、前記表示部に出力する設定画面出力手段と、
前記操作入力受付手段を通じて、ユーザから前記タイマー設定の設定入力を受け付けたときに、前記表示部に、前記設定画面に前記設定入力を反映させるようにする表示信号を供給する手段と、
前記設定画面において前記操作入力受付手段を通じて設定された時刻の情報および前記オーディオ信号の再生出力についての設定可能な調整項目について設定された調整用情報を保持する設定情報保持手段と、
前記時計回路からの時刻情報により、前記設定された時刻になったか否かを監視する監視手段と、
前記監視手段で、前記設定された時刻になったことを検知したときに、前記設定情報保持手段に前記調整用情報が保持されている否か判断し、前記設定情報保持手段に前記調整用情報が保持されていると判断したときには、前記保持されている前記調整用情報に応じて、前記音声再生出力調整手段を制御すると共に、前記設定情報保持手段に前記調整用情報が保持されていないと判断したときには、前記音声再生出力調整手段の最後の調整用情報を記憶する記憶手段に記憶された前記最後の調整用情報に応じて前記音声再生出力調整手段を制御する
ことを特徴とするタイマー機能付電子機器。
【請求項４】
タイマー設定を行うための設定画面を表示する表示部と、
再生画像の画質を調整する再生画像調整手段と、
ユーザからの操作入力を受け付ける操作入力受付手段と、
前記操作入力受付手段を通じた所定の操作に応じてタイマー設定を行なうためのものであって、時刻設定の項目と、再生画像の画質についての設定可能な調整項目とを含む設定画面を、外部に設けられた表示部に表示させる表示信号を、前記表示部に出力する設定画面出力手段と、
前記操作入力受付手段を通じて、ユーザから前記タイマー設定の設定入力を受け付けたときに、前記表示部に、前記設定画面に前記設定入力を反映させるようにする表示信号を供給する手段と、
前記設定画面において前記操作入力受付手段を通じて設定された時刻の情報および前記再生画像の画質についての設定可能な調整項目について設定された調整用情報を保持する設定情報保持手段と、
前記時計回路からの時刻情報により、前記設定された時刻になったか否かを監視する監視手段と、
前記監視手段で、前記設定された時刻になったことを検知したときに、前記設定情報保持手段に前記調整用情報が保持されている否か判断し、前記設定情報保持手段に前記調整用情報が保持されていると判断したときには、前記保持されている前記調整用情報に応じて、前記再生画像調整手段を制御すると共に、前記設定情報保持手段に前記調整用情報が保持されていないと判断したときには、前記再生画像調整手段の最後の調整用情報を記憶する記憶手段に記憶された前記最後の調整用情報に応じて前記再生画像調整手段を制御する
ことを特徴とするタイマー機能付電子機器。
【発明の詳細な説明】
【０００１】
【発明の属する技術分野】
この発明は、例えば電子機器の電源のオン・オフ制御等を行なうタイマー装置およびタイマー機能付電子機器に関する。
【０００２】
【従来の技術】
従来から、設定された時刻に応じて、各種電子機器の電源のオン・オフ等を制御するタイマー装置が広く活用されている。
【０００３】
タイマー装置は、例えば、ラジオ受信機やテレビジョン受信機の電源供給ライン中に接続されて用いられる。そして、ユーザは、タイマー装置に対して、ラジオ受信機あるいはテレビジョン受信機の電源をオンにする時刻や、オフにする時刻を予め設定する。タイマー装置は、自己が内蔵する時計回路からの時刻データにより、設定された電源をオンにする時刻になったことを検知すると、接続されたラジオ受信機やテレビジョン受信機に電源を投入するように制御する。
【０００４】
この場合、タイマー装置により電源が投入されたラジオ受信機やテレビジョン受信機は、前回の電源オフ時の音量や画質の状態で、音声や画像を出力する。したがって、タイマー装置により、電源をオンにする場合には、電源オン時の音量や画質は、一般にタイマー装置をセットする前に、予め好みの状態に合わせておくようにする必要がある。
【０００５】
また、近年においては、タイマー装置を内蔵する電子機器も提供されている。例えば、テレビジョン受信機やビデオテープレコーダ（以下、ＶＴＲという）は、タイマー装置を内蔵したものが多く提供されている。
【０００６】
例えば、タイマー装置を内蔵したテレビジョン受信機においては、電源のオン・オフ時刻とともに、選局指示情報をも設定しておくことを可能にして、番組予約機能を実現している。この番組予約機能を用いることにより、視聴したいと思っていたテレビ放送番組を見逃すなどということを防止することができる（例えば特公平５−３７３８９号公報参照）。
【０００７】
また、タイマー装置を内蔵したＶＴＲにおいても、タイマー装置により、いわゆる予約録画が実現できるようにされている。
【０００８】
【発明が解決しようとする課題】
ところで、前述したような従来のタイマー装置では、ユーザの要求に対して充分に対応できない場合がある。
【０００９】
例えば、従来のタイマー装置を用いて、テレビジョン受信機に目覚ましの役割をさせる場合、電源オン時の音量は、当該テレビジョン受信機に対して、最後に調整した音量のままで音声が放音される。
【００１０】
このため、最後に調整した音量が小音量とされていたときには、電源オン時の音量は小音量のままとなり、ユーザが当該テレビジョン受信機に電源が投入されたことに気が付かない、気が付きにくいということが発生する。このように、従来のタイマー装置では、充分な目覚まし機能をユーザに提供することができない場合がある。
【００１１】
また、画質についても同様に、タイマー装置を用いて当該テレビジョン受信機に電源を投入するようにした場合には、電源オン時の画質は、最後に調整を行なった時の画質のままで画像が提供される。
【００１２】
このため、周囲が暗い夜間に、明るさをおさえた画質でテレビ放送番組を視聴し、そのままの画質の状態で、タイマー装置を用いて、周囲が明るい朝に電源をオンにするようにした場合には、暗い画質の画像が提供されるため、見辛い画像となる場合がある。
【００１３】
また、視聴するテレビ放送番組のタイプ、例えば、映画、スポーツ中継、音楽番組などによっても、視聴するのに適した画質がある。このため、タイマー装置を用いて、予約録画した場合に、再生時に提供されるテレビ放送番組が、電源をオンにする直前、すなわち、前回当該テレビジョンをオフにする直前まで視聴していたテレビ放送番組と異なるタイプの場合には、適した画質で画像が提供されない。
【００１４】
このように、従来のタイマー装置は、電源のオン・オフ制御と選局チャンネルの指定ができるだけであり、設定時刻や予約するテレビ放送番組の種類などに応じて、音量、音質、画質を自動的に調整することができないため不便であった。
【００１５】
以上のことにかんがみ、この発明は、上記課題を一掃し、活用範囲の広いタイマー装置、タイマー機能付電子機器を提供することを目的とする。
【００１６】
【課題を解決するための手段】
上記課題を解決するため、この発明によるタイマー装置においては、
時刻情報を提供する時計回路と、
ユーザからの操作入力を受け付ける操作入力受付手段と、
前記操作入力受付手段を通じた所定の操作に応じてタイマー設定を行なうためのものであって、時刻設定の項目と、オーディオ信号の再生出力についての設定可能な調整項目とを含む設定画面を、外部に設けられた表示部に表示させる表示信号を、前記表示部に出力する設定画面出力手段と、
前記操作入力受付手段を通じて、ユーザから前記タイマー設定の設定入力を受け付けたときに、前記表示部に、前記設定画面に前記設定入力を反映させるようにする表示信号を供給する手段と、
前記設定画面において前記操作入力受付手段を通じて設定された時刻の情報および前記オーディオ信号の再生出力についての設定可能な調整項目について設定された調整用情報を保持する設定情報保持手段と、
前記時計回路からの時刻情報により、前記設定された時刻になったか否かを監視する監視手段と、
前記監視手段で、前記設定された時刻になったことを検知したときに、前記設定情報保持手段に前記調整用情報が保持されている否かを判断し、前記設定情報保持手段に前記調整用情報が保持されていると判断したときに、前記保持されている前記調整用情報を被制御機器に供給する制御手段と、
を備えることを特徴とする。
【００２０】
【発明の実施の形態】
以下、図を参照しながら、この発明によるタイマー装置をテレビジョン受信機に適用した場合の実施の形態について説明する。図１は、この実施の形態のテレビジョン受信機を説明するためのブロック図である。
【００２１】
この実施の形態のテレビジョン受信機は、チューナ部１、中間周波および検波回路２、スイッチ回路ＳＷ１、ＳＷ２、ビデオ信号処理回路３、重畳表示処理回路４、ＣＲＴディスプレイ５、オーディオ信号処理回路６、スピーカ７、例えばビデオテープレコーダなどの外部機器からのビデオ信号の供給を受け付ける入力端子ＶＤ、外部機器からのオーディオ信号の供給を受け付ける入力端子ＶＡ、時計回路８、ビデオＲＡＭ９、ディスプレイコントローラ１０、リモコン信号の受信／デコード部１１、電源回路１３を備えるとともに、マイクロコンピュータによって構成された制御回路１００を備えている。
【００２２】
チューナ部１は、アンテナで受信した信号から、ユーザの選局操作により指定された放送チャンネルの信号を選局し、選局した放送波信号を中間周波信号に変換する。チューナ部１からの中間周波信号は、中間周波および検波回路２に供給される。
【００２３】
中間周波および検波回路２は、中間周波信号を増幅するとともに、検波処理を行なって、ビデオ信号とオーディオ信号を復調する。復調されたビデオ信号は、スイッチ回路ＳＷ１の一方の入力端ＴＶに供給され、復調されたオーディオ信号は、スイッチ回路ＳＷ２の一方の入力端ＴＶに供給される。
【００２４】
そして、スイッチ回路ＳＷ１の他方の入力端ＶＴには、ＶＴＲなどの外部機器からのビデオ信号が入力端子ＶＤを介して供給される。また、スイッチ回路ＳＷ２の他方の入力端ＶＴには、ＶＴＲなどの外部機器からのオーディオ信号が入力端子ＡＵを介して供給される。
【００２５】
スイッチ回路ＳＷ１、ＳＷ２はチューナ部１からの信号を出力するか、外部機器からの信号を出力するかの切り換え回路である。スイッチ回路ＳＷ１、ＳＷ２は、制御回路１００からの切り換え制御信号によって、切り換えられる。スイッチ回路ＳＷ１、ＳＷ２に対する切り換え制御信号は共通である。
【００２６】
そして、スイッチ回路ＳＷ１、ＳＷ２は、ユーザがテレビ放送番組を視聴する場合には、入力端ＴＶ側に切り換えられ、ＶＴＲなどの外部機器からの映像、音声を視聴する場合には、入力端ＶＴ側に切り換えられる。スイッチ回路ＳＷ１からのビデオ信号は、ビデオ信号処理回路３に供給される。スイッチ回路ＳＷ２からのオーディオ信号は、オーディオ信号処理回路６に供給される。
【００２７】
ビデオ信号処理回路３は、例えばビデオ信号用のＤＳＰ（デジタル・シグナル・プロセッサ）からなり、制御回路１００から、このビデオ信号処理回路３に供給される画質調整用データに応じて、再生画像に対して、例えば、ブライトネス（明るさ）、コントラスト（濃淡）、ヒュー（色相）、シャープネス（尖鋭）などの画質を調整する処理を行なう。このビデオ信号処理回路３からのビデオ信号は、重畳表示処理回路４に供給される。
【００２８】
重畳表示処理回路４は、ビデオ信号処理回路３からのビデオ信号と、後述する文字、図形などを画面に例えばスーパーインポーズにより重畳する処理を行なう。重畳表示処理回路４においての処理は、制御回路１００の制御に応じて、適宜行なわれる。重畳すべき信号は、後述するように制御回路１００の制御に従って発生するものである。
【００２９】
重畳表示処理回路４からのビデオ信号は、このテレビジョン受信機においては、ＣＲＴディスプレイ５に供給され、このＣＲＴディスプレイ５の画面に、選局したテレビ放送番組の画像や入力端子ＶＤを介して供給されたＶＴＲなどの外部機器からのビデオ信号による画像がカラー表示される。
【００３０】
オーディオ信号処理回路６は、スイッチ回路ＳＷ２からのオーディオ信号について、再生音声の音量、音質の調整などを行なう。このオーディオ信号処理回路６は、例えばオーディオ信号用のＤＳＰからなり、制御回路１００からの再生音声調整用データに応じて音量、音質の調整を行なう。
【００３１】
オーディオ信号処理回路６は、また、ステレオ／モノラルの切換の処理や、いわゆる「サラウンド」と呼ばれる再生音場特性を持たせる処理もできるように構成されている。ここで、「サラウンド」は、ステレオ再生方式の一つであり、オーディオ信号の左右チャンネルの残響成分の調整などの手法、その他の方法により、臨場感のある再生音声を得ることができるようにするものである。
【００３２】
このオーディオ信号処理回路６からのオーディオ信号はスピーカ７に供給され、再生音声が放音される。
【００３３】
次に、制御回路１００について説明する。なお、このテレビジョン受信機は、ＡＣコンセントに接続された状態で、いわゆる主電源スイッチがオンとされると、遠隔制御信号の送信装置である遠隔操作装置（以下、リモートコマンダという）による電源のオン・オフが可能になり、主電源スイッチが投入された状態では、この制御回路１００は、常に動作状態になっている。
【００３４】
制御回路１００は、前述したように、マイクロコンピュータを備える構成となっており、システムバス１０２に対して、ＣＰＵ１０１と、ＲＯＭ１０３と、ＤＲＡＭ１０４と、ＳＲＡＭ１０５とが接続されている。また、システムバス１０２に対して、Ｉ／Ｏポート１１１〜１１７が接続され、種々の信号が入出力されるようにされている。
【００３５】
そして、制御回路１００は、チューナ部１に対しては、Ｉ／Ｏポート１１１を介して選局制御信号を供給し、スイッチ回路ＳＷ１、ＳＷ２に対しては、Ｉ／Ｏポート１１３を介して切り換え制御信号を供給する。
【００３６】
また、制御回路１００は、ビデオ信号処理回路３に対しては、Ｉ／Ｏポート１１４を介して、前述した画質調整用データを供給し、オーディオ信号処理回路６に対しては、Ｉ／Ｏポート１１４を介して、音量、音質などの再生音声調整用データを供給する。
【００３７】
制御回路１００は、重畳表示処理回路４に対しては、Ｉ／Ｏポート１１５を介して、重畳表示を行なうか否かを制御する制御信号を供給する。重畳表示処理回路での重畳表示の例としては、チャンネル切り換え時に何チャンネルに切り替わったかをチャンネル番号で示す表示や、現在の受信チャンネルの表示、音量がどの程度大きくなったかをバー表示で知らせる場合の表示の他、後述するようなタイマー予約機能を用いるために必要となる情報を設定するための情報設定画面の表示などが挙げられる。
【００３８】
この重畳表示のため、システムバス１０２に対しては、ビデオＲＡＭ９が接続され、ビデオＲＡＭ９には、ディスプレイコントローラ１０が接続されている。
【００３９】
ビデオＲＡＭ９は、ＲＯＭ１０３に記録されているキャラクタ情報を用いて、制御回路１００で形成された文字情報や記号情報を一旦蓄える。
【００４０】
ディスプレイコントローラ１０は、ＣＰＵ１０１のプログラム制御に従って、ビデオＲＡＭに蓄えられた情報を読み出して、それを画面への重畳表示用として重畳表示処理回路４に供給する。
【００４１】
この場合、ＲＯＭ１０３には、重畳表示に必要な文字や記号のフォントデータ、イメージデータが蓄えられており、ＣＰＵ１０１によって実行されるプログラムに従って、必要な文字や記号のフォントデータやイメージが読み出されて、ビデオＲＡＭ９の任意のアドレスに転送される。そして、ビデオＲＡＭ９に蓄えられた情報は、ディスプレイコントローラ１０を介して、重畳表示処理回路４に供給されることによって、ビデオＲＡＭ９のイメージデータがビデオ信号と合成され、ＣＲＴディスプレイ５の画面に適宜の時間にわたって表示されることになる。
【００４２】
また、このテレビジョン受信機においては、図１に示したように、Ｉ／Ｏポート１１２を介して時計回路８がシステムバス１０２に接続され、Ｉ／Ｏポート１１６を介して電源回路１３がシステムバス１０２に接続されている。
【００４３】
時計回路８は、現在時刻を刻む。そして、Ｉ／Ｏポート１１２を介して現在時刻情報をシステムバス１０２に供給する。この時計回路８には、当該テレビジョン受信機の電源がオフであっても、電源電圧が供給されている。すなわち、時計回路８には、図示しないが、電池や充電池などの別電源からの電源電圧が供給されている。これにより、常時、正確に現在時刻を刻むことができるようにされて、タイマー機能を用いた、テレビジョン受信機への電源オン・オフ等も行なうことができるようにされている。
【００４４】
また、時計回路８は、時、分、秒だけでなく、年、月、日、曜日までも情報として有するものである。そして、時計回路８は、ＣＰＵ１０１によるプログラムの実行によって、Ｉ／Ｏポート１１３を介して供給される時刻修正情報に応じて、時刻修正などをも行なう。
【００４５】
また、制御回路１００は、電源回路１３に対しては、Ｉ／Ｏポート１１６を介して、電源のオン・オフを制御する制御信号を供給する。
【００４６】
電源回路１３は、制御回路１００からの電源をオンにする制御信号を受けたときには、ＡＣコンセントからの交流電源電圧の供給を受けて、テレビジョン受信機の各部に供給する安定化電源電圧を形成し、これを各部に供給する。
【００４７】
また、電源回路１３は、制御回路１００から電源をオフにする制御信号の供給を受けたときには、テレビジョン受信機の各部への安定化電源電圧の供給を停止する。前述にもしたように、いわゆる主電源がオフにされない限りは、制御回路１００など一部の回路には安定化電源電圧が供給されて、後述するタイマー機能を用いた当該テレビジョン受信機への電源のオン・オフや、リモートコマンダ１２を用いた遠隔制御による電源のオン・オフなどができるようにしている。
【００４８】
遠隔操作装置であるリモートコマンダ１２は、この実施の形態では、テレビジョン受信機に対する制御を、例えば赤外線を用いて、いわゆるワイヤレスで行なう。リモートコマンダ１２は、図２に示すように、キー１２１〜１３１を有するキー操作部を備えている。
【００４９】
図２に示したリモートコマンダ１２において、パワーキー２１は、当該テレビジョン受信機の電源をオン、または、オフにするときに用いられる。スリープキー２２は、いわゆるスリープ・タイマー機能を動作させるときに用いられる。また、ミューティングキー２３は、当該テレビジョン受信機から放音されている音声の消音、および消音の解除を行なうときに用いられる。
【００５０】
テレビ／ビデオキー２４は、チューナ部により選局されたテレビ放送番組を出力するか、外部装置であるＶＴＲからの画像と音声を出力するかを切り換えるときに用いられる。すなわち、テレビ／ビデオキー２４を押下することにより、前述のスイッチ回路ＳＷ１、ＳＷ２が切り換えられる。
【００５１】
また、０〜９の各数字に対応した数字キー群２５は、選局指示情報の入力など各種の情報入力の際に用いられる。チャンネルアップダウンキー２７は、１チャンネル毎に、選局チャンネルを変えるときなどに用いられる。ボリューム調整キー２８は、音量の調整を行なうときに用いられる。
【００５２】
ディスプレイキー２６は、現在視聴中の選局したチャンネル番号を画面に表示する場合に用いられる。
【００５３】
また、メニューキー３１、リターンキー３４、カーソル移動キー３３ａ、３３ｂ、３３ｃ、３３ｄ、リセットキー３２、エンターキー３５、選択キー３６は、メニューの表示、メニューからの処理の選択、および、後述するようにタイマー予約時刻、音量や音質、画質の設定情報の入力操作などに用いられる。
【００５４】
このテレビジョン受信機は、タイマー予約時に、時刻情報の設定だけでなく、画質の調整、音質の調整、チャンネルのプリセット処理など、実行可能な処理が登録されているメニューをテレビジョン受信機の画面に表示し、表示されたメニューから実行したい処理を選択して実行させることができるように構成されている。また、設定情報の入力は、テレビジョン受信機の画面に表示されるガイダンス等の表示を見ながら、リモートコマンダ１２を操作することにより、情報の入力操作を行なうことができるようにされている。
【００５５】
そして、リモートコマンダ１２は、ユーザにより押下されたキーに対応した、例えば、赤外線のリモコン信号を形成して、テレビジョン受信機のリモコン信号受信／デコード部１１に供給する。
【００５６】
リモコン信号受信／デコード部１１は、リモートコマンダ１２からのリモコン信号を受信し、その受信したリモコン信号をデコードする。そして、受信してデコードしたリモコン信号をＩ／Ｏポート１１７を介してシステムバス１０２に供給する。
【００５７】
ＣＰＵ１０１は、Ｉ／Ｏポート１１７を介して取り込まれたリモコン信号のデコード信号を解析し、リモコン操作に応じた処理、例えば選局、画質、音質、音声などの調整制御、重畳表示制御、スイッチ回路ＳＷ１、ＳＷ２の切り換え制御などを行なう。
【００５８】
このテレビジョン受信機においては、制御回路１００のＤＲＡＭ１０４は、主として、演算などのワークエリアとして使用される。
【００５９】
また、ＳＲＡＭ１０５は、電池による電源バックアップとされた不揮発性メモリの構成とされている。そして、ＳＲＡＭ１０５は、電源スイッチのオン・オフによるチャンネルや音量、音質、画質のラストメモリ機能に関する情報の保持のための記憶領域として使用される。
【００６０】
また、ＳＲＡＭ１０５は、このテレビジョン受信機においては、前述したようにメニュー画面を用いて設定されるタイマー予約情報を保持する記憶領域としても使用される。この場合、タイマー予約情報には、電源のオン、オフを行なう時刻、あるいは、選局を行なう時刻を指定する時刻情報と、選局したい放送チャンネルを指示する選局指示情報の他に、画質調整用信号、音量調整用信号、音質調整用信号の設定情報が含まれる。
【００６１】
以上のように構成されたこの実施の形態のテレビジョン受信機は、リモートコマンダ１２からのリモコン信号の供給を受けて、これをリモコン信号の受信／デコード部１１を介して制御回路１００に取り込む。
【００６２】
リモートコマンダ１２のパワーキー２１が押されたときは、制御回路１００は、電源オン、あるいはオフにするためのリモコン信号であると判断し、システムバス１０２、Ｉ／Ｏポート１１６を介して電源回路１３を制御して、当該テレビジョン受信機の電源のオン、あるいは、オフを行なうようにする。
【００６３】
また、リモートコマンダ１２で、チャンネルアップダウンキー２７や数字キーが押されたときは、制御回路１００は、リモコン信号が選局チャンネルを指示する信号であると判断し、システムバス１０２、Ｉ／Ｏポート１１１を介して、チューナ部１を制御してユーザの指示に応じた選局処理を行なう。選局された放送波信号は、中間周波および検波回路２に供給される。中間周波および検波回路２で復調されたビデオ信号は、スイッチ回路ＳＷ１、ビデオ信号処理回路３、重畳表示処理回路４を介して、ＣＲＴディスプレイ５に供給され、選局されたテレビ放送番組の映像が再生される。
【００６４】
一方、中間周波および検波回路２で復調されたオーディオ信号は、スイッチ回路ＳＷ２、オーディオ信号処理回路６を介して、スピーカ７に供給され、選局されたテレビ放送番組の音声が放音される。
【００６５】
また、リモートコマンダ１２からのリモコン信号が画質を調整することを指示する信号や、音量や音質の調整を指示する信号であったときには、制御回路１００は、システムバス１０２、Ｉ／Ｏポート１１４を介して、ビデオ信号処理回路３、オーディオ信号処理回路６を制御して、画質や、音量、音質の調整を行なう。
【００６６】
そして、例えばリモートコマンダ１２で、キー２６が押下され、制御回路１００で、当該リモコン信号が、選局したチャンネル番号の表示を指示する信号など、画像に制御回路１００で作成する文字などの表示を指示する信号であったときには、制御回路１００は、システムバス１０２、Ｉ／Ｏポート１１５を介して、重畳表示処理回路４を制御する。同時に、ビデオＲＡＭ９に表示するイメージデータを生成し、これをディスプレイコントローラ１０を介して重畳表示処理回路４に供給する。これにより、例えば、選局したチャンネル番号などが、再生された画像に例えばスーパーインポーズでオーバーレイ表示される。
【００６７】
また、リモートコマンダ１２で、キー２４が押下され、リモコン信号が、ＶＴＲからの画像、音声を再生することを指示するものであると制御回路１００が判断したときは、制御回路１００は、システムバス１０２、Ｉ／Ｏポート１１３を介して、切り換え信号をスイッチ回路ＳＷ１、ＳＷ２に供給する。これにより、スイッチ回路ＳＷ１、ＳＷ２は、入力端ＶＴＲ側に切り換えられて、ＶＴＲからの画像、音声が出力される。
【００６８】
このとき、画質、音量、音質の調整も、テレビ放送番組を視聴する場合と同様に、リモートコマンダ１２を介して、ユーザは制御、調整することができる。
【００６９】
そして、このテレビジョン受信機は、時計回路８を有しており、タイマー機能を備えており、以下のようにして、タイマー予約情報の設定を行なうことができるようにされている。
【００７０】
［タイマー予約情報の設定］
図３およびその続きである図４のフローチャートをも参照しながら、このテレビジョン受信機においてのタイマー予約情報の設定処理について説明する。
【００７１】
この実施の形態のテレビジョン受信機に対して、タイマー予約情報を設定する場合、まずユーザは、テレビジョン受信機に電源が投入されている状態のときに、図２に示したリモートコマンダ１２のメニューキー３１を押下する。これにより、リモートコマンダ１２からは、メニュー表示を要求するリモコン信号（リモコンコマンド）が出力される。
【００７２】
このテレビジョン受信機は、前述にもしたように、主電源が投入されている間は、制御回路１００は動作状態とされている。そして、常時、リモコン信号を受信したか否かを監視している（ステップ２０１、２０２）。
【００７３】
制御回路１００は、ステップ２０２で、リモコン信号を受信したことを検知すると、ステップ２０３に進み、そのリモコンコマンドが、メニュー表示を要求するものであるか否か判断し、メニュー表示を要求するものでなければ、ステップ２０４に進んで、そのリモコンコマンドに応じたその他の処理を行い、ステップ２０１に戻り、リモコン信号入力待ちの状態になる。
【００７４】
一方、ステップ２０３でリモコンコマンドが、メニュー表示を要求するものであると判断されたときには、ステップ２０５に進んで、メニュー画面をＣＲＴディスプレイ５に表示する。
【００７５】
このとき、制御回路１００においては、ＲＯＭ１０３からメニュー表示のためのプログラムが読み出され、ビデオＲＡＭ９にメニューを表示するためのイメージデータが作成される。そして、ビデオＲＡＭ９に作成されたイメージデータが、前述にもしたように、ディスプレイコントローラ１０を介して重畳表示処理回路４に供給される。重畳表示処理回路４は、制御回路１００の制御を受けて、重畳処理を行ない、ＣＲＴディスプレイ５にメニューを表示する。
【００７６】
この場合、このメニュー画面には、例えば、“１．時刻合わせ”、“２．タイマー予約情報の設定”、…のように、メニュー項目番号と項目名称が、行を異ならせる状態で表示される。
【００７７】
そして、ユーザは、リモートコマンダ１２の選択キー３３ａ、３３ｂを操作して、メニュー画面上のカーソルを上下に移動させることにより、実行したい処理の項目番号上にカーソルを位置させて、エンターキー３２を押下することにより、実行したい処理を選択することができる。
【００７８】
そして、ステップ２０６では、ユーザにより選択された処理項目が時刻合わせであるか否か判断する。時計合わせであれば、ステップ２０７に進み、時刻合わせのための設定画面がディスプレイ５の画面に表示される。そして、次のステップ２０８で、年、月、日、曜日および時刻の設定を受け付ける。そして、次のステップ２０９で、設定終了のリモコンコマンドを検知するとステップ２０１に戻って、ＣＲＴディスプレイ５の表示を元の画像の表示に戻し、リモコンコマンドの入力待ちの状態に戻る。
【００７９】
ステップ２０６で、ユーザにより選択された処理項目が時刻合わせではないと判断されたときには、ステップ２１０に進み、タイマー予約情報の設定が選択されたか否か判断する。タイマー予約情報の設定ではないと判断されたときには、ステップ２１１に進み、その他のメニュー項目の処理を行った後、ステップ２０１に戻って、ＣＲＴディスプレイ５の表示を元の画像の表示に戻し、リモコンコマンドの入力待ちの状態に戻る。
【００８０】
そして、ステップ２１０の判断処理において、タイマー予約情報の設定が選択されたと判断したときには、制御回路１００は、タイマー予約情報の設定処理のルーチンに入る。すなわち、ステップ２１０から、図４のステップ２２１に進み、例えば、図５に示すようなタイマー予約情報の設定画面を表示する。この場合にも、この設定画面は、前述のメニューの表示と同様に制御回路１００によって、ビデオＲＡＭ９に形成された設定画面を表示するためのイメージデータが、ディスプレイコントローラ１０を介して、重畳表示処理回路４に供給されることにより表示される。
【００８１】
この実施の形態においては、図５に示すように、タイマー予約情報の設定画面では、曜日、時間、選局チャンネル、画質、音質、音量の設定ができるようにされている。
【００８２】
図５において、イベントナンバーエリア５１は、設定されるタイマー予約情報のインデックス番号であるイベントナンバーの設定エリアである。この実施の形態では、個々のタイマー予約情報は、それにイベントナンバーが付されてＳＲＡＭ１０５に登録される。このイベントナンバーにより、この実施の形態のテレビジョン受信機は、複数のタイマー予約情報を設定することができるとともに、設定後のタイマー予約情報の修正や解除なども容易に行なうことができるようにしている。
【００８３】
曜日設定エリア５２は、曜日の設定を行なうエリアである。予約時間設定エリア５３は、電源をオンにする時刻を設定するためのエリアである。選局チャンネル設定エリア５４は、電源オンにしたときに、選局すべきチャンネル番号の設定を行うためのエリアである。画質設定エリア５５は、電源オンのときの画質の設定を行うためのエリアである。音質設定エリア５６は、電源オンのときの音質の設定を行うためのエリアである。音量設定エリア５７は、電源オンのときの音量の設定を行うためのエリアである。
【００８４】
ユーザのリモートコマンダ１２のカーソル移動キー３３ａ〜３３ｄの操作により各設定エリアの選択ができ、選択された設定エリアが、例えば反転表示されるなどして、ユーザに通知される。そして、選択された設定エリアにおいて、選択キー３６を操作すると、その設定エリアにおける設定が行えるように構成されている。
【００８５】
例えば、イベントナンバーエリア５１を選択して選択キー３６を操作すると、イベントナンバーが変わり、そのイベントナンバーとして前回設定された内容が画面に表示される。その後、エンターキー３５を押下すると、そのイベントナンバーで確定となる。また、曜日設定エリア５２を選択して選択キー３６を操作すると、曜日がサイクリックに変化する。その後、エンターキー３５を押下すると、その曜日で確定となる。
【００８６】
また、予約時間設定エリア５３における時間設定は、この実施の形態では、時間設定バー上に表示されたカーソルを選択キー３６を操作することにより画面の左右に移動させることにより行なう。そして、まず、選択キー３６を操作し、エンターキー３５を押下すると、電源オンの開始時刻が設定できる。その後、選択キー３６を操作すると、その開始時刻からの電源オンの継続時間の設定ができる。つまり、電源オフの時間が設定される。そして、エンターキー３５の押下により、予約時間設定の確定となる。設定された予約時間は、時間設定バーの該当する部分が、図５に示すように、例えば、反転表示するなどしてユーザに通知される。
【００８７】
選局チャンネル設定エリア５４を選択して選択キー３６を操作すると、予めテレビジョン受信機に設定されている選局チャンネルが順次選択される状態になり、その後、エンターキー３５を押下すると、そのチャンネルで確定となる。
【００８８】
また、画質設定エリア５５における画質の設定は、次のようにして行われる。すなわち、この実施の形態においては、画質の調整情報の設定は、“ＭＯＶＩＥ”、“ＳＰＯＲＴＳ”、“ＮＯＲＭＡＬ”などの予め設定されている選択肢の中から選択することにより行なう。
【００８９】
例えば、“ＭＯＶＩＥ”は、コントラスト（濃淡）とシャープネス（尖鋭度）が押さえられ、映画やドラマなどを視聴するのに適した画質を提供する。また、“ＳＰＯＲＴＳ”は、コントラストとシャープネスが強めにされて、動きの激しいスポーツ番組などを視聴するのに適した画質を提供する。また、“ＮＯＲＭＡＬ”は、ブライトネス（明るさ）、コントラスト、ヒュー（色相）、シャープネスとも、ほぼ中間値とされた画質を提供する。
【００９０】
カーソル移動キー３３ａ〜３３ｄにより、この画質設定エリア５５が選択され、選択キー３６が操作されると、前記の画質選択肢が順次にサイクリックに選択される。その後、エンターキー３５を押下すれば、目的とする画質の調整情報の選択が確定する。
【００９１】
次に、音質の調整情報の設定エリア５６における音質の調整情報の設定は、この実施の形態では、サラウンド効果をオンにするかオフにするかを設定することにより行うようにされている。すなわち、カーソル移動キー３３ａ〜３３ｄにより、この音質設定エリア５６が選択され、選択キー３６が操作されると、「ＯＮ（サラウンド効果オン）」と「ＯＦＦ（サラウンド効果オフ）」とが交互に選択項目として表示されるので、そのどちらかを選択して、エンターキー３５を押下することにより音質の設定がなされる。
【００９２】
そして、音量設定エリア５７における音量の設定は、この実施の形態の場合には、任意にできる。すなわち、音量設定エリア５７がカーソル移動キー３３ａ〜３３ｄにより選択され、ユーザにより選択キー３６が操作されると、音量レベルが任意に設定される。図５の例では、音量は、バー表示されると共に、例えば「１００」を最大値とする数値表示もなされる。
【００９３】
そして、図５に示した項目を、すべて入力し終えると、ユーザは、各項目を確認し、修正したい項目がある場合には、カーソル移動キー３３ａ〜３３ｄにより、修正したい項目を再選択して設定の修正をすることができる。これら各選択されたタイマー予約情報は、ＤＲＡＭ１０４に一時的に保持されている。
【００９４】
そして、必要な項目の設定を終了したときには、ユーザはエンターキー３５を再度押下する。これにより、タイマー予約情報の設定を終了する。すなわち、エンターキー３５が２度続けて押下されると、制御回路１００は、タイマー予約情報の設定は終了したと判定し、ＤＲＡＭ１０４に一時的に保持された一連のタイマー予約情報をＳＲＡＭ１０５に書き込み、保持する。
【００９５】
以上の設定の流れは、図４に示すようになる。
すなわち、ステップ２２１でタイマー設定画面を表示した後、ステップ２２２に進んで、設定が終了であるか否か判断する。設定が終了でなければ、ステップ２２３に進み、予約時刻の設定であるか否か判断する。そして、予約時刻の設定であれば、ステップ２２４に進み、前述したような予約時刻の設定を受付け、その後、ステップ２２２に戻り、設定終了であるか否か判断する。
【００９６】
ステップ２２３で予約時刻の設定ではないと判断したときには、ステップ２２５に進み、選局チャンネルの設定であるか否か判断する。そして、選局チャンネルの設定であればステップ２２６に進み、前述したような選局チャンネルの設定を受付け、その後、ステップ２２２に戻り、設定終了であるか否か判断する。
【００９７】
ステップ２２５でチャンネル入力の設定ではないと判断したときには、ステップ２２７に進み、画質の設定であるか否か判断する。そして、画質の設定であればステップ２２８に進み、前述したような予約時刻における画質の設定を受付け、その後、ステップ２２２に戻り、設定終了であるか否か判断する。
【００９８】
ステップ２２７で画質の設定ではないと判断したときには、ステップ２２９に進み、音質の設定であるか否か判断する。そして、音質の設定であればステップ２３０に進み、前述したような予約時刻における音質の設定を受付け、その後、ステップ２２２に戻り、設定終了であるか否か判断する。
【００９９】
ステップ２２９で音質の設定ではないと判断したときには、ステップ２３１に進み、音質の設定であるか否か判断する。そして、音質の設定であればステップ２３２に進んで、前述したような音質の設定を受付け、その後、ステップ２２２に戻り、設定終了であるか否か判断する。
【０１００】
そして、ステップ２３１で音量の設定ではないと判断したときには、ステップ２２２に戻る。
【０１０１】
そして、ステップ２２２で、設定終了であると判断したときには、設定された各項目の設定値をＳＲＡＭ１０５に記憶して、予約設定モードを終了する。その後、ステップ２０１のリモコンコマンド入力待ちの状態に戻る。
【０１０２】
なお、リセットキー３２は、タイマー予約情報の設定を中止する場合に押下する場合などにおいて押下することにより、当該処理を中止し、通常の画像の表示に戻す。また、リターンキー３４は、図５に示す設定画面においては、各項目の設定を、最初の状態に戻す場合になどに用いる。
【０１０３】
このように、このテレビジョン受信機は、タイマー予約機能を用いて電源をオンにする場合に、前述のようにして設定された画質、音質、音量の調整情報に応じて、画質、音質、音量を調整することができる。
【０１０４】
なお、画質、音質、音量は、必ず設定する必要はなく、必要なものだけを設定することができる。すなわち、音量だけを設定し、画質、音質は設定しないようにすることができる。
【０１０５】
図６は、この発明の他の実施の形態のタイマー予約情報の設定画面の例を示すものである。この図６の場合は、音量設定エリア５７における音量の設定も、予め定められた幾つかの音量レベルの選択肢である“ＨＩＧＨ（大音量）”、“ＭＩＤＤＬＥ（中間音量）”または“ＬＯＷ（小音量）”から選択するようにするものである。
【０１０６】
そして、図６のタイマー予約情報の設定画面の予約時間設定エリア５３においては、電源をオンにする時刻と、電源をオフにする時刻との両方を設定するようにする。この場合、いずれの時刻も、例えば数字キー群２５を操作することにより設定される。その他の曜日、チャンネル、画質、音質の設定は、図５に示したタイマー予約情報の設定画面の場合と同様に設定する。
【０１０７】
なお、画質、音質についての情報の設定は、図５、図６に示したように予め用いられた選択肢の中から選択することによって設定するようにする他、例えば画質の場合には、ブライトネス、コントラスト、ヒュー、シャープネスのそれぞれを、バー表示や、数値表示を用いて、任意に調整するようにすることもできる。
【０１０８】
また、音量については、例えば、上述のように、バー表示、数値表示の両方を併用するようにして設定した場合において、その一方を現在の調整値とし、他方を設定値として比較させながら音量を設定することが可能である。
【０１０９】
［タイマー予約機能の実行］
次に、図７のフローチャートを参照しながら、この実施の形態のテレビ受信機においてのタイマー予約機能の実行処理について説明する。
【０１１０】
前述のようにして、ＳＲＡＭ１０５にタイマー予約情報が設定され、予約実行モードにされると、制御回路１００のＣＰＵ１０１は、この設定された電源をオンにする時刻と、Ｉ／Ｏポート１１２を介して供給される時計回路８からの現在時刻とを比較する処理を開始する。この比較処理は、常時、例えば一定間隔ごとに行なわれる。
【０１１１】
そして、現在時刻とＳＲＡＭ１０５の設定時刻とが一致すると、ＣＰＵ１０１は、ＳＲＡＭ１０５から、設定時刻における選局チャンネルを指定する予約選局情報および当該設定時刻における画質、音質、音量などの調整用情報の予約設定情報を読み出す（ステップ３０１）。
【０１１２】
次にＣＰＵ１０１は、現在当該テレビジョン受信機には、電源が投入されているか否か判断し（ステップ３０２）、電源が投入されていないと判断したときには、前述したように、電源回路１３を制御して、電源を投入する（ステップ３０３）。
【０１１３】
また、ステップ３０２の判断処理において、電源が投入されていると判断した場合、あるいは、ステップ３０３の処理で、電源を投入すると、次に、ＣＰＵ１０１は、現在選局されているチャンネルは、ＳＲＡＭ１０５から読み出した予約選局情報により指定されるチャンネルと一致しているか否かを判断する（ステップ３０４）。ここで選局されているチャンネルと、予約選局情報により指定されるチャンネルとが一致していないと判断したときには、ＣＰＵ１０１は、ＳＲＡＭ１０５から読み出した予約選局情報に応じて、チューナ部１を制御して選局チャンネルを変更する（ステップ３０５）。
【０１１４】
ステップ３０４の判断処理において、選局されているチャンネルと予約選局情報により指定されるチャンネルとが一致していると判断された場合、あるいは、ステップ３０５の処理でチャンネルが変更された後、ＣＰＵ１０１は、ＳＲＡＭ１０５から読み出した予約設定情報中に、画質、音量、音質を調整するための調整用情報があるか否かを判断する（ステップ３０６）。
【０１１５】
ステップ３０６の判断処理において、画質、音量、音質を調整するための調整用情報がないと判断されたときには、ＣＰＵ１０１は、ＳＲＡＭ１０５に記憶されている、いわゆるラストメモリーのデータ（最後に更新された画質、音量、音質に関する調整用情報）を読み出し、このデータに応じて、ビデオ信号処理回路３、オーディオ信号処理回路６を制御し、画質、音量、音質を調整する（ステップ３０７）。
【０１１６】
ステップ３０７の判断処理において、画質、音量、音質について調整するための調整用情報が予約設定されていると判断されたときには、ＳＲＡＭ１０５から読み出した画質、音量、音質の調整用情報に応じて、ビデオ信号処理回路３、オーディオ信号処理回路６を制御し、設定時刻の画質、音量、音質を調整する（ステップ３０８）。
【０１１７】
このように、当該テレビジョン受信機にタイマー予約機能を用いて、電源をオンする場合、電源をオンにする時刻に対応するように、画質、音量、音質の調整用情報を設定するようにしたので、この予約設定した調整用情報に応じて、ユーザが予め設定した通りの画質、音量、音質で、予約時刻に画像出力および音声出力を得ることができる。
【０１１８】
例えば、当該テレビジョン受信機に、目覚ましの役割をさせようとした場合には、再生出力音量を大きく設定しておくことにより、充分にその要求に答えることができる。また、画質も、電源をオンにする時刻に選局するテレビ放送番組の種類に応じて設定することで、画質調整を視聴開始後に行う必要はなく、非常に使い勝手が良くなる。
【０１１９】
なお、前述の実施の形態においては、タイマー装置は、テレビジョン受信機に内蔵されていたが、タイマー装置は、テレビジョン装置とは別体の構成とすることもできる。
【０１２０】
その場合、タイマー装置には、時計回路、設定時刻や調整用情報を保持するメモリ、設定時刻になったかどうかの監視機能や、調整用情報の書き込み、読み出し機能を備えた制御回路、設定時刻や調整用情報の設定入力を受け付けるキー入力部などを備える。
【０１２１】
そして、外部装置としてのタイマー装置において、設定時刻になったかどうかを監視し、設定時刻になったことを検知したときには、電源をオンまたはオフにする制御情報と共に、メモリから調整用情報を読み出してテレビジョン受信機に供給するようにする。
【０１２２】
このとき、外部装置としてのタイマー装置とテレビジョン受信機との間の情報の送受は、テレビジョン受信機にタイマー装置からの制御情報および調整用情報の供給を受けるための外部入力端子を設けて、ケーブルを介して行なうようにする。
【０１２３】
また、タイマー装置から、例えば、赤外線のリモコン信号を送出するようにして、テレビジョン受信機に電源制御情報や前記調整用情報を供給するようにしてもよい。また、電波で制御情報や調整用情報の送受を行なうようにすることもできる。
【０１２４】
［他の実施の形態］
次に、テレビジョン受信機用のリモートコマンダ（遠隔操作装置）に、この発明を適用した場合の実施の形態について説明する。
【０１２５】
図８は、この実施の形態のリモートコマンダを説明するためのブロック図である。図８に示すように、このリモートコマンダは、キー入力部４１、リモコン信号生成送信部４２、時計回路４３、ＬＣＤ（液晶ディスプレイ）４４を備えるとともに、システムバス４０２に対してＣＰＵ４０１、ＲＯＭ４０３、ＤＲＡＭ４０４、ＳＲＡＭ４０５が接続された制御回路４００を備えている。
【０１２６】
また、システムバス４０２に対してＩ／Ｏポート４１１を介して、リモコン信号送信部４２がシステムバス４０２に接続されている。また、Ｉ／Ｏポート４１２を介して、時計回路４１２がシステムバス４０２に接続されている。さらに、ディスプレイコントローラ４１３を介してＬＣＤディスプレイ４４がシステムバス４０２に接続されている。図示しないが、ＬＣＤディスプレイ４４は、リモートコマンダの筐体のフロント面に設けられる。
【０１２７】
また、制御回路４００のＲＯＭ４０３は、プログラムやＬＣＤディスプレイ４４に表示するガイダンスなどを形成するための文字フォントデータなどを格納している。ＤＲＡＭ４０４は、制御回路４００の作業領域として用いられる。
【０１２８】
キー操作部４１は、ユーザからの操作を受け付ける部分であり、図２を用いて前述したリモートコマンダ１２と同様のキー構成を備えており、電源のオン・オフキー、テンキーのほか、メニューキー、カーソル移動キー、選択キーなど、タイマー予約設定のための複数のキーにより構成されている。そして、この汎用リモートコマンダには、タイマー予約情報の設定の開始／設定情報の登録を指示するためのタイマー予約情報設定キー２１ａが設けられている。
【０１２９】
リモコン信号送信部４２は、制御回路４００からの指示情報や制御情報などを、例えば、赤外線のリモコン信号として送信する。この送信されたリモコン信号により、テレビジョン受信機が制御される。
【０１３０】
時計回路４３は、前述の時計回路８と同様に現在時刻を提供する。また制御回路４００のＣＰＵ４０１の制御に応じて、時刻などの修正、変更も可能なようにされている。
【０１３１】
そして、このリモートコマンダの場合、タイマー予約情報設定キー２１ａが押下されると、タイマー予約情報設定モードとなり、タイマー予約情報の設定入力が可能になり、ＬＣＤディスプレイ４４の画面に前述のメニュー画面と同様の画面が表示される。そして、ユーザは、ＬＣＤディスプレイ４４に表示されるガイダンスなどに応じて、目的とする電子機器であるテレビジョン受信機の電源をオンにする時刻、選局指示情報、電源オン時の画質、音量、音質を調整するための情報を入力する。
【０１３２】
この各情報の入力は、キー入力部４１の前述したような各種キーを操作することにより行なわれる。ユーザにより押下されたキーに対応する信号は、キー入力部４１から制御回路４００に供給される。
【０１３３】
制御回路４００のＣＰＵ４０１は、キー入力部４１からの信号がタイマー予約情報であるときには、電源をオンにする時刻と各情報とを対応付けて、ＳＲＡＭ４０５に格納する。このようにして、タイマー予約情報がＳＲＡＭ４０５に格納され、タイマー予約設定が完了すると、リモートコマンダは、タイマー予約モードになる。
【０１３４】
このタイマー予約モードになると、ＣＰＵ４０１は、時計回路４３からの現在時刻を監視し、この現在時刻と、ＳＲＡＭ４０５に保持されているテレビジョン受信機の電源をオンにする時刻（設定時刻）とを比較する。
【０１３５】
この監視処理により、現在時刻と設定時刻が一致すると、制御回路４００は、例えば図９に示すように、設定したタイマー予約情報をリモコン信号としてテレビジョン受信機に送信する処理を行なう。
【０１３６】
すなわち、制御回路４００の、ＣＰＵ４０１は、前述のように現在時刻と設定時刻との一致または、現在時刻が設定時刻を過ぎていると最初に検知したときには、ＳＲＡＭ４０５から、当該設定時刻に対応する予約情報を読み出して、Ｉ／Ｏポート４１１を介してリモコン信号送信部４２に供給する（ステップ５０１）。
【０１３７】
リモコン信号送信部４２は、これに供給された予約設定情報に対応するリモコン信号を生成し、これをテレビジョン受信機に送信する（ステップ５０２）。このリモコン信号には、電源オンの制御信号のほか、予約選局情報、音質、音量、画質に関する調整情報が含まれる。
【０１３８】
このリモコン信号を受けたテレビジョン受信機は、当該リモコン信号に基づいて、電源オン、選局、画質、音量、音質の調整を行なう。
【０１３９】
したがって、制御の対象とされた、例えばテレビジョン受信機などの電子機器のソフトウエアや回路構成などを変更することなく、このリモートコマンダのタイマー機能を用いるようにすることにより、電源オン時に、画質、音量、音質の調整をも行なうことができる多機能なタイマー機能を実現する。
【０１４０】
なお、前述した実施の形態においては、主にテレビジョン受信機を例に説明したが、この発明は、ＶＴＲなどの各種のＡＶ機器にも適用できる。
【０１４１】
また、音声、画像の両方を提供するＡＶ機器だけでなく、ラジオ受信機や、ビデオテープレコーダなどのオーディオ機器にも、この発明を適用することができる。この場合は、タイマー機能としては、音量、音質の調整ができるようにしておくだけでよい。
【０１４２】
【発明の効果】
以上説明したように、この発明によるタイマー装置、タイマー機能付電子装置および遠隔操作装置によれば、タイマー機能を用いて電子機器に電源を投入する場合において、電源投入時刻の音質や音量などの音声再生出力をユーザの好みや、電源投入時刻に合わせて自動的に調整することができる。また、画像および音声を再生する電子機器の場合には、電源投入時刻に再生される画像の種類などに応じて、画質、音量、音質等を調整することができる。
【０１４３】
また、外部装置として、この発明によるタイマー装置を用いた場合や、リモートコマンダに、この発明のタイマー装置を適用した場合には、電子機器側は何も変更することなく、電源投入時刻の音量、音質等の音声再生出力をユーザの好みや、電源投入時刻に合わせて自動的に調整することができると共に、画像の種類などに応じた画質に調整することができる。
【図面の簡単な説明】
【図１】この発明をテレビジョン受信機に適用した場合の実施の形態について説明するためのブロック図である。
【図２】図１の実施の形態のテレビジョン受信機のリモートコマンダを説明するための図である。
【図３】図１の実施の形態の要部の動作を説明するためのフローチャートの一部を示す図である。
【図４】図１の実施の形態の要部の動作を説明するためのフローチャートの一部を示す図である。
【図５】この実施の形態のテレビジョン受信機で用いられるタイマー予約情報の設定画面の一例を示す図である。
【図６】タイマー予約情報の設定画面の他の例を示す図である。
【図７】この発明をテレビジョン受信機に適用した場合の実施の形態においてのタイマー予約機能の実行処理を説明するためのフローチャートである。
【図８】この発明をリモートコマンダに適用した場合の実施の形態を説明するためのブロック図である。
【図９】この発明をリモートコマンダに適用した場合の実施の形態においてのタイマー予約機能の実行処理を説明するためのフローチャートである。
【符号の説明】
１    チューナ部
２    中間周波および検波回路
３    ビデオ信号処理回路
４    重畳表示処理回路
５    ＣＲＴディスプレイ
６    オーディオ信号処理回路
７    スピーカ
８    時計回路
９    ビデオＲＡＭ
１０    ディスプレイコントローラ
１１    リモコン信号受信／デコード部
１２    リモコンコマンダ
１３    電源回路
ＳＷ１、ＳＷ２    スイッチ回路
１００    制御回路
１０１    ＣＰＵ
１０２    システムバス
１０３    ＲＯＭ
１０４    ＤＲＡＭ
１０５    ＳＲＡＭ
１１１〜１１７    Ｉ／Ｏポート
【図１】
0003709900.tif 000002
【図２】
0003709900.tif 000003
【図３】
0003709900.tif 000004
【図４】
0003709900.tif 000005
【図５】
0003709900.tif 000006
【図６】
0003709900.tif 000007
【図７】
0003709900.tif 000008
【図８】
0003709900.tif 000009
【図９】
0003709900.tif 000010